(57)【要約】【課題】長時間の使用であっても、疲れ難いとともに作業効率を向上させることができ、かつ汎用性を有するベルト用ずれ抑制具、及びこのベルト用ずれ抑制具を取り付けた肩掛けベルト、背負いベルトを提供する。【解決手段】携行物を肩から吊り下げる肩掛けベルト５０、及び携行物を両方の肩で背負う背負いベルトに用いられ、長さを調整することにより脇下部、胸部、又は腰部に密着される帯体３０と、帯体３０の両端に設けられた一対の止具１０とからなり、止具１０は、肩掛けベルト５０、及び背負いベルトに着脱自在に取着される。【選択図】図３
2019024779.tif 000002
【特許請求の範囲】
【請求項１】
携行物を肩から吊り下げる肩掛けベルト、及び携行物を両方の肩で背負う背負いベルトに用いられ、
長さを調整することにより脇下部、胸部、又は腰部に密着される帯体と、該帯体の両端に設けられた一対の止具とからなり、
該止具は、該肩掛けベルト、及び該背負いベルトに着脱自在に取着されることを特徴とするベルト用ずれ抑制具。
【請求項２】
前記止具は、板状をなし、長孔状に設けられた帯体挿通孔と、該帯体挿通孔と垂直に対向して設けられた一対の長孔状のベルト挿通孔とを有し、
前記肩掛けベルト、及び前記背負いベルトは、一対の該ベルト挿通孔に挿通されて取着されることを特徴とする請求項１記載のベルト用ずれ抑制具。
【請求項３】
前記止具は、板状をなし、長孔状に設けられた帯体挿通孔と、該帯体挿通孔に隣接して設けられた長方形状のベルト孔と、該ベルト孔内に形成され、該帯体挿通孔方向に垂直に片持ち梁状に伸びる舌片とを有し、
前記肩掛けベルト、及び前記背負いベルトは、該ベルト孔内において該舌片に押圧されて取着されることを特徴とする請求項１記載のベルト用ずれ抑制具。
【請求項４】
前記止具は、板状をなし、長孔状に設けられた帯体挿通孔と、該帯体挿通孔に並設された長孔状のラチェット孔と、該ラチェット孔に隣接して設けられた長方形状のベルト孔と、該ベルト孔内に形成され、該ラチェット孔方向に垂直に片持ち梁状に伸び、先端部に内側に向かって鉤状のラチェット爪が形成されたラチェット片とを有し、
前記肩掛けベルト、及び前記背負いベルトは、該ラチェット爪が該ラチェット孔に係止され、該ベルト孔内において該ラチェット片に押圧されて取着されることを特徴とする請求項１記載のベルト用ずれ抑制具。
【請求項５】
前記帯体の一端は、一方の前記止具の前記帯体挿通孔に挿通されて縫製により固着され、
該帯体の他端は、他方の該止具の該帯体挿通孔に挿通されて折り返され、面ファスナーにより該帯体に係止されることを特徴とする請求項２乃至４のうちいずれか１項記載のベルト用ずれ抑制具。
【請求項６】
前記帯体は伸縮性を有する素材からなり、
該帯体の両端は、一対の前記止具の前記帯体挿通孔におのおの挿通されて縫製により固着されていることを特徴とする請求項２乃至４のうちいずれか１項記載のベルト用ずれ抑制具。
【請求項７】
前記帯体の一端は、一方の前記止具の前記帯体挿通孔に挿通されて縫製により固着され、
該帯体の他端は、他方の該止具の該帯体挿通孔に挿通されて折り返され、該帯体の長さを調整可能なコキに繋げられていることを特徴とする請求項２乃至４のうちいずれか１項記載のベルト用ずれ抑制具。
【請求項８】
請求項１乃至７のうちいずれか１項記載のベルト用ずれ抑制具を取り付けた肩掛けベルト、及び背負いベルト。
【発明の詳細な説明】
【技術分野】
【０００１】
本発明は、携行物を肩から吊り下げる肩掛けベルトや、携行物を両方の肩で背負う背負いベルトに用いられるベルト用ずれ抑制具、及びこのベルト用ずれ抑制具を取り付けた肩掛けベルト、背負いベルトに関する。
【背景技術】
【０００２】
一般に、携行物を肩から吊り下げる肩掛けベルトとして、特許文献１に示すものが知られている。この肩掛けベルトでは、肩当て部（１５）が可変ベルト（１４）に対して可動するようになっている。そのため、携行物である刈払機を前後左右に動かして作業を行うに従って、肩当て部（１５）が移動して、可変ベルト（１４）が肩に直接当ってしまう。また、携行物を両方の肩で背負う背負いベルトとして、特許文献２に示すものが知られている。この背負いベルトでは、２本の背負いバンド（３）から両肩にかかる負荷のバランスが崩れると、一方の肩から背負いバンド（３）が外れてしまうことがある。また、背負いバンド（３）に肩パッドが取り付けられている場合は、肩パッドがずれ易くなる。このように、これらの肩掛けベルトや背負いベルトでは、肩パッドやベルトがずれたり外れたりし易く、作業中や運搬中に肩パッドを元の位置に戻したり、ベルトを掛け直したりしなければならず、面倒であるとともに作業効率が落ちてしまう。これを避けるために、肩パッドを元の位置に戻すことなく作業や運搬を続けると、ベルトが直接肩に当たり、肩が痛くなったり、疲労が増す原因となってしまう。
【０００３】
これに対し、特許文献３に示される肩掛けベルトが提案されている。この肩掛けベルトでは、肩パッド（２）の中央部（１１）の伸長率よりも長手方向両側部（９、１０）の伸長率を大きくしている。この肩掛けベルトによれば、携行物により生じる荷重や衝撃を肩パッド（２）が分散して吸収することができ、肩パッドやベルトのずれを抑制することができる。また、特許文献４に示される肩掛けベルトも提案されている。この肩掛けベルトは、腰部ベルト帯（１）を腰に装着し、肩ベルト帯（２）を斜め掛けした後、下腹部ベルト帯（３）を下腹前で連結し、吊下げリング（１１８）に携行物を吊下げ装着するものである。この肩掛けベルトによれば、腰部でも携行物の重量を負担することにより肩への負担が軽減し、肩パッドやベルトのずれを抑制することができるとも考えられる。
【先行技術文献】
【特許文献】
【０００４】
【特許文献１】特開２０１６−６７２９９号公報
【特許文献２】特開２０１４−１１７６７４号公報
【特許文献３】特開２００８−２２０５７５号公報
【特許文献４】特開２０１６−４１０５３号公報
【発明の概要】
【発明が解決しようとする課題】
【０００５】
しかし、上記特許文献３に示される肩掛けベルトでは、吊下げフック（６）が帯体（３）に固定されていない。そのため、吊下げフック（６）に携行物である重い作業物を吊下げて作業をした場合、吊下げフック（６）は動かず、帯体（３）や肩パッド（２）が動いてしまう。その結果、肩パッド（２）がずれて、帯体（３）が直接肩に当たってしまう。また、上記特許文献４に示される肩掛けベルトでは、腰部でも携行物の重量を負担することにより肩への負担が軽減できる代わりに、肩当て部材（２２）は肩からずれ易くなり、ベルト本体（２１）が肩から外れ易くなってしまう。また、腰部ベルト帯（１）は、取り外して他の肩掛けベルトに使用することができず汎用性に乏しい。さらには、部品点数が多く、製造コストが高騰化する。
【０００６】
本発明はかかる従来の問題点に鑑みてなされたものであり、長時間の使用であっても、疲れ難いとともに作業効率を向上させることができ、かつ汎用性を有するベルト用ずれ抑制具、及びこのベルト用ずれ抑制具を取り付けた肩掛けベルト、背負いベルトを提供するものである。
【課題を解決するための手段】
【０００７】
上記の課題を解決するために、請求項１に係るベルト用ずれ抑制具の特徴は、携行物を肩から吊り下げる肩掛けベルト、及び携行物を両方の肩で背負う背負いベルトに用いられ、長さを調整することにより脇下部、胸部、又は腰部に密着される帯体と、該帯体の両端に設けられた一対の止具とからなり、該止具は、該肩掛けベルト、及び該背負いベルトに着脱自在に取着されることである。
【０００８】
請求項２に係るベルト用ずれ抑制具の特徴は、前記止具は、板状をなし、長孔状に設けられた帯体挿通孔と、該帯体挿通孔と垂直に対向して設けられた一対の長孔状のベルト挿通孔とを有し、前記肩掛けベルト、及び前記背負いベルトは、一対の該ベルト挿通孔に挿通されて取着されることである。
【０００９】
請求項３に係るベルト用ずれ抑制具の特徴は、前記止具は、板状をなし、長孔状に設けられた帯体挿通孔と、該帯体挿通孔に隣接して設けられた長方形状のベルト孔と、該ベルト孔内に形成され、該帯体挿通孔方向に垂直に片持ち梁状に伸びる舌片とを有し、前記肩掛けベルト、及び前記背負いベルトは、該ベルト孔内において該舌片に押圧されて取着されることである。
【００１０】
請求項４に係るベルト用ずれ抑制具の特徴は、前記止具は、板状をなし、長孔状に設けられた帯体挿通孔と、該帯体挿通孔に並設された長孔状のラチェット孔と、該ラチェット孔に隣接して設けられた長方形状のベルト孔と、該ベルト孔内に形成され、該ラチェット孔方向に垂直に片持ち梁状に伸び、先端部に内側に向かって鉤状のラチェット爪が形成されたラチェット片とを有し、前記肩掛けベルト、及び前記背負いベルトは、該ラチェット爪が該ラチェット孔に係止され、該ベルト孔内において該ラチェット片に押圧されて取着されることである。
【００１１】
請求項５に係るベルト用ずれ抑制具の特徴は、前記帯体の一端は、一方の前記止具の前記帯体挿通孔に挿通されて縫製により固着され、該帯体の他端は、他方の該止具の該帯体挿通孔に挿通されて折り返され、面ファスナーにより該帯体に係止されることである。
【００１２】
請求項６に係るベルト用ずれ抑制具の特徴は、前記帯体は伸縮性を有する素材からなり、該帯体の両端は、一対の前記止具の前記帯体挿通孔におのおの挿通されて縫製により固着されていることである。
【００１３】
請求項７に係るベルト用ずれ抑制具の特徴は、前記帯体の一端は、一方の前記止具の前記帯体挿通孔に挿通されて縫製により固着され、該帯体の他端は、他方の該止具の該帯体挿通孔に挿通されて折り返され、該帯体の長さを調整可能なコキに繋げられていることである。
【００１４】
請求項８に係る肩掛けベルトと背負いベルトの特徴は、請求項１乃至７のうちいずれか１項記載のベルト用ずれ抑制具を取り付けたことである。
【発明の効果】
【００１５】
請求項１に係るベルト用ずれ抑制具においては、長さを調整することにより帯体が脇下部、胸部、又は腰部に密着する。そのため、このベルト用ずれ抑制具を肩掛けベルトに用いれば、帯体より上部の肩掛けベルトが移動し難いうえ、携行物の重量が肩に安定して程よくかかる。これにより、携行物を前後左右に動かす長時間の作業であっても、肩パッドや肩掛けベルトのずれを抑制することができる。また、このベルト用ずれ抑制具を背負いベルトに用いても、同様に、帯体より上部の背負いベルトが移動し難いうえ、携行物の重量が肩に安定して程よくかかる。これにより、両肩にかかる負荷のバランスが崩れ難く、長時間の作業や運搬であっても肩パッドや背負いベルトのずれ、外れを抑制することができる。さらに、止具が肩掛けベルトや背負いベルトに着脱自在に取着されるため、異なる肩掛けベルトや背負いベルトに簡単に使用することができる。したがって、請求項１に係るベルト用ずれ抑制具によれば、長時間の使用であっても、疲れ難いとともに作業効率を向上させることができ、かつ汎用性がある。なお、このベルト用ずれ抑制具では、帯体が調整可能であることから、異なる体型の作業者であっても違和感なく使用することができる。また、このベルト用ずれ抑制具では、帯体と一対の止具とからなっているため、構成が簡単であり、製造コストを低減することができる。
【００１６】
請求項２に係るベルト用ずれ抑制具においては、板状の止具は、長孔状に設けられた帯体挿通孔と、帯体挿通孔と垂直に対向して設けられた一対の長孔状のベルト挿通孔とを有している。そして、肩掛けベルト、背負いベルトがベルト挿通孔に挿通されて取り付けられる。そのため、止具が肩掛けベルト、背負いベルトに強固に取り付けられ、ベルト用ずれ抑制具は肩掛けベルト、背負いベルトから外れ難い。
【００１７】
請求項３に係るベルト用ずれ抑制具においては、板状の止具は、長孔状に設けられた帯体挿通孔と、帯体挿通孔に隣接して設けられた長方形状のベルト孔と、ベルト孔内に形成され、帯体挿通孔方向に垂直に片持ち梁状に伸びる舌片とを有している。そして、肩掛けベルト、背負いベルトがベルト孔内において舌片に押圧されて取り付けられる。この際、舌片を軽く押し下げてできる空間に肩掛けベルト、背負いベルトを差し入れた後、舌片を放せば、舌片に押圧されて肩掛けベルト、背負いベルトが止具に取り付けられる。また、肩掛けベルト、背負いベルトを帯体挿通孔方向に引けば、肩掛けベルト、背負いベルトを止具から取り外すことができる。したがって、このベルト用ずれ抑制具によれば、肩掛けベルト、背負いベルトに簡単に着脱できる。
【００１８】
請求項４に係るベルト用ずれ抑制具においては、板状の止具は、長孔状に並設された帯体挿通孔、ラチェット孔と、ラチェット孔に隣接して設けられた長方形状のベルト孔と、ラチェット片とを有している。このラチェット片は、ベルト孔内に形成され、ラチェット孔方向に垂直に片持ち梁状に伸び、先端部に内側に向かって鉤状のラチェット爪が形成されている。そして、肩掛けベルト、背負いベルトがベルト孔内においてラチェット片に押圧されて取り付けられる。この際、ラチェット片を回転させてできる空間に肩掛けベルト、背負いベルトを差し入れた後、ラチェット爪をラチェット孔に係止させれば、ラチェット片に押圧されて肩掛けベルト、背負いベルトが止具に取り付けられる。また、ラチェット爪とラチェット孔との係合を外し、ベルトをラチェット孔方向に引けば、ベルトを止具から取り外すことができる。したがって、このベルト用ずれ抑制具によれば、肩掛けベルト、背負いベルトに簡単に着脱できるうえ、ラチェット爪がラチェット孔に係止されるため肩掛けベルト、背負いベルトから外れ難い。
【００１９】
請求項５に係るベルト用ずれ抑制具においては、帯体の一端が一方の止具の帯体挿通孔に挿通されて縫製により固着される。また、帯体の他端が他方の止具の帯体挿通孔に挿通されて折り返され、面ファスナーにより帯体に係止される。そのため、面ファスナーにより帯体の長さを調整すれば、帯体が簡単に脇下部、胸部、又は腰部に密着される。
【００２０】
請求項６に係るベルト用ずれ抑制具においては、両端が一対の止具の帯体挿通孔におのおの挿通されて縫製により固着されている帯体の素材として、伸縮性を有する素材が用いられている。そのため、止具を肩掛けベルト、背負いベルトに取り付けるだけで、帯体自体が伸縮して、脇下部、胸部、又は腰部に帯体が簡単に密着される。
【００２１】
請求項７に係るベルト用ずれ抑制具においては、帯体の一端が一方の止具の帯体挿通孔に挿通されて縫製により固着されている。そして、帯体の他端が他方の止具の帯体挿通孔に挿通されて折り返され、帯体の長さを調整可能なコキに繋げられている。そのため、止具を肩掛けベルト、背負いベルトに取り付け、コキにより帯体の長さを調整すれば、脇下部、胸部、又は腰部に帯体が簡単に密着される。
【００２２】
請求項８に係るベルト用ずれ抑制具を取り付けた肩掛けベルト、背負いベルトにおいては、長さを調整することにより帯体が脇下部、胸部、又は腰部に密着する。そのため、この肩掛けベルトでは、帯体より上部の肩掛けベルトが移動し難いうえ、携行物の重量が肩に安定して程よくかかる。これにより、携行物を前後左右に動かす長時間の作業であっても、肩パッドや肩掛けベルトのずれを抑制することができる。また、この背負いベルトでも、同様に、帯体より上部の背負いベルトが移動し難いうえ、携行物の重量が肩に安定して程よくかかる。これにより、両肩にかかる負荷のバランスが崩れ難く、長時間の作業や運搬であっても肩パッドや背負いベルトのずれ、外れを抑制することができる。したがって、この肩掛けベルト、背負いベルトによれば、長時間の使用であっても、疲れ難いとともに作業効率を向上させることができる。
【図面の簡単な説明】
【００２３】
【図１】実施形態１のベルト用ずれ抑制具の斜視図。
【図２】実施形態１のベルト用ずれ抑制具に係り、止具の斜視図。
【図３】実施形態１のベルト用ずれ抑制具を取り付けた肩掛けベルトの斜視図。
【図４】実施形態２のベルト用ずれ抑制具の斜視図。
【図５】実施形態２のベルト用ずれ抑制具に係り、止具の斜視図、正面図、及び断面図。
【図６】実施形態２のベルト用ずれ抑制具を肩掛けベルトに取り付ける斜視図。
【図７】実施形態２のベルト用ずれ抑制具を肩掛けベルトの腰の位置に取り付けた斜視図。
【図８】実施形態３のベルト用ずれ抑制具の斜視図。
【図９】実施形態３のベルト用ずれ抑制具に係り、止具の斜視図、正面図、及び断面図。
【図１０】実施形態３のベルト用ずれ抑制具を取り付けた背負いベルトの斜視図。
【図１１】実施形態４のベルト用ずれ抑制具の斜視図。
【図１２】実施形態４のベルト用ずれ抑制具に係り、コキの斜視図。
【発明を実施するための形態】
【００２４】
本発明に係るベルト用ずれ抑制具、及びこれを取り付けた肩掛けベルト、背負いベルトについて、実施形態１から４により図面に基づいて以下に説明する。まず、実施形態１のベルト用ずれ抑制具、及びこれを取り付けた肩掛けベルトについて図１から図３を用いて説明する。図１はベルト用ずれ抑制具１の斜視図であり、図２はベルト用ずれ抑制具１に用いられる止具１０の斜視図である。また、図３は、ベルト用ずれ抑制具１を取り付けた肩掛けベルト５０の斜視図である。図１に示すように、ベルト用ずれ抑制具１は、帯体３０と一対の止具１０とからなっている。帯体３０の一端３０ａは一方の止具１０に固着され、他端３０ｂには雄型面ファスナー３２が縫い付けられている。帯体３０は、伸縮性のある生地、又は伸縮性のない生地で、かつ雌型面ファスナー機能を有する生地からできている。また、帯体３０としては、雌型面ファスナー機能を有しない一般的な生地の上に雌型面ファスナー機能を有する生地や雌型面ファスナーを縫い付けたものを採用してもよい。なお、伸縮性のある生地として、例えば、天然繊維や合成繊維等を伸縮可能に織り込んだ生地、発泡ウレタンや合成ゴムや天然ゴムや合成繊維を成形した生地、これらを組み合わせた生地を採用することができる。ここで、雄型面ファスナー３２が請求項５の「面ファスナー」である。
【００２５】
図２にも示すように、止具１０は、矩形の板状をなし、長孔状に設けられた帯体挿通孔１１と、帯体挿通孔１１と垂直に対向して設けられた一対の長孔状のベルト挿通孔１２とを有している。そして、帯体３０の一端３０ａが一方の止具１０の帯体挿通孔１１に挿通されて折り返され、縫製により固着される。また、帯体３０の他端３０ｂが他方の止具１０の帯体挿通孔１１に挿通されて折り返され、雄型面ファスナー３２により帯体３０に係止される。この雄型面ファスナー３２を止める位置により、帯体３０の長さを調整することができる。なお、止具１０は、樹脂製であっても金属製であってもよい。
【００２６】
このベルト用ずれ抑制具１を肩掛けベルト５０に取り付ける方法について説明する。まず、図３を用いて、肩掛けベルト５０について説明する。肩掛けベルト５０は、ベルト本体５１、肩パッド５２、吊下げフック５３、及び連結具５５からなっている。そして、ベルト本体５１の一端５１ａが連結具５５に縫い付けられて固定され、ベルト本体５１の他端５１ｂが吊下げフック５３、肩パッド５２に通されて連結具５５に取り付けられる。具体的には、連結具５５には２つの挿通孔が並設されており、ベルト本体５１の他端５１ｂが一方の挿通孔を通して裏面（図３において、作業者側）から表面（図３において、作業者と反対側）に出された後、他方の挿通孔を通して表面から裏面に戻される。これにより、ベルト本体５１が連結具５５によりループ状に連結され、吊下げフック５３、肩パッド５２がベルト本体５１に移動可能に取り付けられる。また、連結具５５に取り付けるベルト本体５１の他端５１ｂの位置を変えることにより、ベルト本体５１の長さ調整が可能になる。
【００２７】
次に、図１から図３を用いて、ベルト用ずれ抑制具１を肩掛けベルト５０に取り付ける具体的方法について説明する。まず、ベルト本体５１の他端５１ｂを連結具５５の他方の挿通孔を通して裏面から表面に出した後、一方の挿通孔を通して表面から裏面に出し、ベルト本体５１の他端５１ｂを連結具５５から外す。そして、肩パッド５２をベルト本体５１から外す。次に、ベルト本体５１の他端５１ｂを一方の止具１０のベルト挿通孔１２に裏面から表面へ通し、再度裏面に通すことにより、一方の止具１０をベルト本体５１に取り付ける。そしてベルト本体５１の他端５１ｂを肩パッド５２に通す。さらに、一方の止具１０の場合と同様の方法により、ベルト本体５１の他端５１ｂを他方の止具１０のベルト挿通孔１２に通し、他方の止具１０をベルト本体５１に取り付ける。そして、両方の止具１０、肩パッド５２をベルト本体５１の所定の位置に移動させる。最後に、ベルト本体５１の他端５１ｂを前述の方法により連結具５５に取り付ける。
【００２８】
そして、肩掛けベルト５０を体に取り付け、帯体３０の他端３０ｂの雄型面ファスナー３２を外して、他端３０ｂを帯体３０から一旦外す。さらに、脇下部を若干締め付ける程度まで帯体３０の他端３０ｂを引いた後、雄型面ファスナー３２を帯体３０に係止させる。これにより、帯体３０は作業者の脇下部に密着される。そして、吊下げフック５３に刈払機等の携行物を取り付けて、作業をすることができる。
【００２９】
実施形態１に係るベルト用ずれ抑制具１、及びこれを取り付けた肩掛けベルト５０においては、長さを調整することにより帯体３０が脇下部に密着する。そのため、このベルト用ずれ抑制具１を取り付けた肩掛けベルト５０では、帯体３０より上部の肩掛けベルト５０が移動し難いうえ、携行物の重量が肩に安定して程よくかかる。これにより、携行物を前後左右に動かす長時間の作業であっても、肩パッド５２やベルト本体５１のずれを抑制することができる。また、止具１０が肩掛けベルト５０に着脱自在に取着されるため、異なる肩掛けベルトや背負いベルトに簡単に使用することができる。したがって、このベルト用ずれ抑制具１によれば、長時間の使用であっても、疲れ難いとともに作業効率を向上させることができ、かつ汎用性がある。なお、このベルト用ずれ抑制具１では、帯体３０が調整可能であることから、異なる体型の作業者であっても違和感なく使用することができる。また、このベルト用ずれ抑制具１では、帯体３０と一対の止具１０とからなっているため、構成が簡単であり、製造コストを低減することができる。
【００３０】
また、このベルト用ずれ抑制具１においては、板状の止具１０は、長孔状に設けられた帯体挿通孔１１と、帯体挿通孔１１と垂直に対向して設けられた一対の長孔状のベルト挿通孔１２とを有している。そして、肩掛けベルト５０がベルト挿通孔１２に挿通されて取り付けられる。そのため、止具１０が肩掛けベルト５０に強固に取り付けられ、ベルト用ずれ抑制具１は肩掛けベルト５０から外れ難い。
【００３１】
さらに、このベルト用ずれ抑制具１においては、帯体３０の一端３０ａが一方の止具１０の帯体挿通孔１１に挿通されて縫製により固着される。また、帯体３０の他端３０ｂが他方の止具１０の帯体挿通孔１１に挿通されて折り返され、雄型面ファスナー３２により帯体３０に係止される。そのため、雄型面ファスナー３２を止める位置により帯体３０の長さを調整すれば、帯体３０が簡単に脇下部に密着される。
【００３２】
次に、実施形態２のベルト用ずれ抑制具、及びこれを取り付けた肩掛けベルトについて図４から図７を用いて説明する。図４はベルト用ずれ抑制具２の斜視図であり、図５（１）はベルト用ずれ抑制具２に用いられる止具１５の斜視図である。そして、図５（２）は止具１５の正面図であり、図５（３）は図５（２）におけるＡ−Ａ矢視断面図である。また、図６は、ベルト用ずれ抑制具２を肩掛けベルト５０に取り付ける斜視図である。さらに、図７は、ベルト用ずれ抑制具２を肩掛けベルト５０の腰の位置に取り付けた斜視図である。図４に示すように、ベルト用ずれ抑制具２は、帯体３０と一対の止具１５とからなっている。帯体３０の一端３０ａは一方の止具１５に固着され、他端３０ｂには雄型面ファスナー３２が縫い付けられている。帯体３０は、実施形態１のものと同様である。
【００３３】
図５（１）、（２）、（３）にも示すように、止具１５は、矩形の板状をなし、長孔状に設けられた帯体挿通孔１６と、帯体挿通孔１６に隣接して設けられた長方形状のベルト孔１７と、ベルト孔１７内に形成され、帯体挿通孔１６方向に垂直に片持ち梁状に伸びる舌片１８とを有している。舌片１８の先端部には、肩掛けベルト、背負いベルトを着脱しやすいように面取り部１８ａが形成されている。そして、帯体３０の一端３０ａが一方の止具１５の帯体挿通孔１６に挿通されて折り返され、縫製により固着される。また、帯体３０の他端３０ｂが他方の止具１５の帯体挿通孔１６に挿通されて折り返され、面ファスナー３２により帯体３０に係止される。図５（３）に示すように、舌片１８を軽く押し下げると、肩掛けベルト５０のベルト本体５１を差し入れる空間１７ａが形成される。なお、止具１５は樹脂製であることが望ましい。
【００３４】
次に、図６を用いて、ベルト用ずれ抑制具２を肩掛けベルト５０に取り付ける具体的方法について説明する。肩掛けベルト５０は、実施形態１のものと同様である。ただし、肩掛けベルト５０は、ベルト本体５１の他端５１ｂを連結具５５から外すことなく、そのまま使用される。まず、ベルト本体５１の所定の位置において、矢印で示すように、止具１５の舌片１８を軽く押し下げる。これにより生じた空間１７ａに、矢印で示すように、ベルト本体５１を差し入れる。そして、舌片１８を放せば、舌片１８に押圧されてベルト本体５１を止具１５に取り付けることができる。これを両方の止具１５について行う。そして、肩掛けベルト５０を体に取り付け、実施形態１の場合と同様に、帯体３０の雄型面ファスナー３２を帯体３０に係止させれば、帯体３０は作業者の脇下部に密着される。そして、吊下げフック５３に刈払機等の携行物を取り付けて、作業をすることができる。また、ベルト本体５１を帯体挿通孔１６方向に引けば、肩掛けベルト５０を止具１５から取り外すことができる。
【００３５】
図７は、作業者の腰の位置において、ベルト用ずれ抑制具２を肩掛けベルト５０に取り付けて使用する例である。この場合は、ベルト用ずれ抑制具２が肩掛けベルト５０に取り付けられる位置が作業者の腰の位置である点を除けば、上記と全く同様である。ベルト用ずれ抑制具２をこのように用いることにより、帯体３０は作業者の腰部に密着される。これにより、吊下げフック５３の移動が抑えられるため、吊下げフック５３に携行物を取り付けて作業をしても、携行物が体から離れることがない。特に、携行物が刈払機である場合は、先端の刈刃等が体に接近することがなく、安全性が確保される。
【００３６】
実施形態２に係るベルト用ずれ抑制具２、及びこれを取り付けた肩掛けベルト５０においては、止具１５の舌片１８を軽く押し下げてできる空間１７ａにベルト本体５１を差し入れた後、舌片１８を放せば、舌片１８に押圧されてベルト本体５１が止具に取り付けられる。また、ベルト本体５１を帯体挿通孔１６方向に引けば、ベルト本体５１を止具１５から取り外すことができる。そのため、このベルト用ずれ抑制具２、及びこれを取り付けた肩掛けベルト５０では、ベルト用ずれ抑制具２を肩掛けベルト５０に簡単に着脱することができる。その他の作用、効果は実施形態１と同様である。
【００３７】
次に、実施形態３のベルト用ずれ抑制具、及びこれを取り付けた肩掛けベルトについて図８から図１０を用いて説明する。図８はベルト用ずれ抑制具３の斜視図であり、図９（１）はベルト用ずれ抑制具３に用いられる止具２０の斜視図である。そして、図９（２）は止具２０の正面図であり、図９（３）は図９（２）におけるＢ−Ｂ矢視断面図である。また、図１０は、ベルト用ずれ抑制具３を背負いベルト６０に取り付けた斜視図である。図８に示すように、ベルト用ずれ抑制具３は、帯体３５と一対の止具２０とからなっている。帯体３５の両端３５ａ、３５ｂは、止具２０の帯体挿通孔２１に挿通されて折り返され、縫製により固着されている。また、帯体３５は伸縮性のある生地からできている。ここで、伸縮性のある生地として、例えば、天然繊維や合成繊維等を伸縮可能に織り込んだ生地、発泡ウレタンや合成ゴムや天然ゴムや合成繊維を成形した生地、これらを組み合わせた生地を採用することができる。
【００３８】
図９（１）、（２）、（３）にも示すように、止具２０は、矩形の板状をなし、長孔状に設けられた帯体挿通孔２１と、帯体挿通孔２１に並設された長孔状のラチェット孔２２と、ラチェット孔２２に隣接して設けられた長方形状のベルト孔２３と、ベルト孔２３内に形成されたラチェット片２４とを有している。ラチェット片２４は、ラチェット孔２２方向に垂直に片持ち梁状に伸び、先端部に内側に向かって鉤状に形成されたラチェット爪２４ａを有している。また、ラチェット片２４は、ヒンジ部２４ｂを中心に回動することができる。このラチェット爪２４ａがラチェット孔２２に係止され、背負いベルト６０がベルト孔２３内においてラチェット片２４に押圧されて取り付けられる。なお、止具２０は樹脂製であることが望ましい。
【００３９】
次に、図１０を用いて、ベルト用ずれ抑制具３を背負いベルト６０に取り付ける具体的方法について説明する。まず、背負いベルト６０について概説する。背負いベルト６０は、噴霧器等の携行物９０の左右の取付け部９０ａ、９０ｂに取り付けられる２組のベルト本体６１、肩パッド６２、連結具６５からなっている。そして、実施形態１の肩掛けベルト５０の場合と同様、ベルト本体６１が連結具６５によりループ状に連結される。
【００４０】
この背負いベルト６０にベルト用ずれ抑制具３を取り付けるには、まず、ベルト本体６１の所定の位置において、ベルト用ずれ抑制具３のラチェット爪２４ａを押してラチェット孔２２との係合を外す。そして、ヒンジ部２４ｂを中心にラチェット片２４を回転させてできる空間２３ａにベルト本体６１を差し入れる。その後、チェット片２４を戻し、ラチェット爪２４ａをラチェット孔２２に係止させれば、ラチェット片２４に押圧されてベルト本体６１を止具２０に取り付けることができる。これを両方の止具２０について行えば、帯体３５が伸縮性のある生地からできていることから、帯体３５は作業者の胸部に密着する。また、ラチェット爪２４ａとラチェット孔２２との係合を外し、ベルト本体６１をラチェット孔２２方向に引けば、ベルト本体６１を止具２０から取り外すことができる。
【００４１】
実施形態３に係るベルト用ずれ抑制具３、及びこれを取り付けた背負いベルト６０においては、ラチェット片２４を回転させてできる空間２３ａにベルト本体６１を差し入れた後、ラチェット爪２４ａをラチェット孔２２に係止させれば、ラチェット片２４に押圧されてベルト本体６１が止具２０に取り付けられる。また、ラチェット爪２４ａとラチェット孔２２との係合を外し、ベルト本体６１をラチェット孔２２方向に引けば、ベルト本体６１を止具２０から取り外すことができる。そのため、このベルト用ずれ抑制具３、及びこれを取付けた背負いベルト６０では、ベルト用ずれ抑制具３を背負いベルト６０に簡単に着脱できるうえ、ラチェット爪２４ａがラチェット孔２２に係止されるため背負いベルト６０から外れ難い。また、帯体３５に伸縮性を有する素材が用いられているため、止具２０を背負いベルト６０に取り付けるだけで、帯体３５自体が伸縮して、作業者の胸部に帯体３５が簡単に密着される。その他の作用、効果は実施形態１と同様である。
【００４２】
次に、実施形態４のベルト用ずれ抑制具４について図１１、図１２を用いて説明する。図１１はベルト用ずれ抑制具４の斜視図であり、図１２はベルト用ずれ抑制具４に用いられるコキ４５の斜視図である。なお、止具２０は、実施形態３０のものと同じであり、その説明を省略する。図１１に示すように、ベルト用ずれ抑制具４は、帯体４０と一対の止具２０とからなっている。帯体４０の一端４０ａが一方の止具２０の帯体挿通孔２１に挿通されて折り返され、縫製により固着されている。また、帯体４０の他端４０ｂが他方の止具２０の帯体挿通孔２１に挿通されて折り返され、長さ調整可能なコキ４５に繋げられている。帯体４０は、伸縮性のある生地であっても、伸縮性のない生地であってもよい。
【００４３】
図１２に示すように、コキ４５は、額縁状の外枠４６内に１本の中杆４７か設けられ、中杆４７の両側には挿通孔４８が形成されている。そして、帯体４０の他端４０ｂは、中杆４７に巻き付けられるように両側の挿通孔４８に挿通されている。
【００４４】
このベルト用ずれ抑制具４を肩掛けベルト、背負いベルトに取り付けるには、まず、実施形態３と同様にして、一対の止具２０を肩掛けベルト、背負いベルトに取り付ける。そして、コキ４５により帯体４０の長さを調整して、帯体３５を作業者の脇下部、胸部、又は腰部に密着させる。ここで、帯体４０の長さ調整をするには、中杆４７から帯体４０を持ち上げた後、コキ４５の外側の帯体４０を所定の方向に引けばよい。
【００４５】
実施形態４に係るベルト用ずれ抑制具４、及びこれを取り付けた肩掛けベルト、背負いベルトにおいては、止具２０を肩掛けベルト、背負いベルトに取り付け、コキ４５により帯体４０の長さを調整すれば、脇下部、胸部、又は腰部に帯体４０を簡単に密着させることができる。その他の作用、効果は実施形態３と同様である。
【００４６】
以上、本発明のベルト用ずれ抑制具、及びこれを用いた肩掛けベルト、背負いベルトを実施形態１から４に即して説明したが、本発明はこれらに制限されるものではなく、本発明の技術的思想に反しない限り、適宜変更して適用できることはいうまでもない。例えば、実施形態１から３では、ベルト用ずれ抑制具を肩掛けベルト、又は背負いベルトのどちらかに取付ける場合について説明したが、すべてのベルト用ずれ抑制具は、肩掛けベルト、背負いベルトの両方に取付けることができる。また、帯体と止具との組み合わせは、実施形態に示されたものに限られない。さらには、すべてのベルト用ずれ抑制具は、脇下部、胸部、又は腰部のいずれの部分にも密着させて用いることができる。
【符号の説明】
【００４７】
１、２、３、４…ベルト用ずれ抑制具、１０、１５、２０…止具、１１、１６、２１…帯体挿通孔、１２…ベルト挿通孔、１７、２３…ベルト孔、１８…舌片、２２…ラチェット孔、２４…ラチェット片、２４ａ…ラチェット爪、３０、３５、４０…帯体、３０ａ、３５ａ、４０ａ…一端、３０ｂ、３５ｂ、４０ｂ…他端、３２…面ファスナー（雄型面ファスナー）、４５…コキ、５０…肩掛けベルト、６０…背負いベルト、９０…携行物。
【図１】
2019024779.tif 000003
【図２】
2019024779.tif 000004
【図３】
2019024779.tif 000005
【図４】
2019024779.tif 000006
【図５】
2019024779.tif 000007
【図６】
2019024779.tif 000008
【図７】
2019024779.tif 000009
【図８】
2019024779.tif 000010
【図９】
2019024779.tif 000011
【図１０】
2019024779.tif 000012
【図１１】
2019024779.tif 000013
【図１２】
2019024779.tif 000014